(57)【要約】      （修正有）【課題】水処理における簡単な構造で確実な除塵効果を有するとともに、メンテナンスをほとんど要することのない除塵装置の提供。【解決手段】自然水を取り込んでフィルタ９で濾過をして不純物を除去した濾過水を送り出す除塵装置であって、収容部１と、給水路２ａ，２ｂと、排水路４ａ，４ｂと、フィルタ９と、送水路３と、弁６ａ，６ｂ，７ａ，７ｂと、隔壁１１ａ、１１ａと、制御部１０とを備えており、フィルタ９の他側内部空間と面する濾過面に付着した不純物をフィルタ９の内周側から送り出した濾過水の水圧で押し出して洗浄し、他側内部空間１２ｂに通じる給水路２ｂの弁６ｂを開放するとともに排水路４ｂの弁７ｂを閉塞し、一側内部空間１２ａに通じる給水路２ａの弁６ａを閉塞するとともに排水路４ａの弁７ａを開放する制御を行い、フィルタ９の一側内部空間と面する濾過面に付着した不純物をフィルタ９で洗浄する除塵装置。【選択図】図１
2016022429.tif 000002
【特許請求の範囲】
【請求項１】
自然水を取り込んでフィルタで濾過をして不純物を除去した濾過水を送り出す除塵装置であって、
収容部と、給水路と、排水路と、フィルタと、送水路と、弁と、制御部とを備えており、
収容部は、周壁で外周を囲むとともに、隔壁で内部を区画して一側内部空間と他側内部空間を有するものであり、給水路は、一側内部空間と他側内部空間のそれぞれに通じており、各給水路は、自然水を取り込む水源と一側内部空間または他側内部空間のそれぞれに通じており、排水路は、各給水路と対応して一側内部空間と他側内部空間のそれぞれに通じており、フィルタは、隔壁に設けてあり、一側内部空間と他側内部空間のそれぞれに隣接する位置に配してあり、送水路は、フィルタと通じる位置に設けてあり、フィルタを通った濾過水を収容部の外に送り出すものであり、弁は、給水路と排水路のそれぞれに設けてあり、
制御部は、各弁の開閉を制御するものであり、一側内部空間に通じる給水路の弁を開放するとともに排水路の弁を閉塞し、他側内部空間に通じる給水路の弁を閉塞するとともに排水路の弁を開放する制御を行うことにより、フィルタの他側内部空間と面する濾過面に付着した不純物をフィルタの内周側から送り出した濾過水の水圧で押し出して洗浄し、他側内部空間に通じる給水路の弁を開放するとともに排水路の弁を閉塞し、一側内部空間に通じる給水路の弁を閉塞するとともに排水路の弁を開放する制御を行うことにより、フィルタの一側内部空間と面する濾過面に付着した不純物をフィルタの内周側から送り出した濾過水の水圧で押し出して洗浄することを特徴とする除塵装置。
【請求項２】
収容部の一側内部空間と他側内部空間は、隔壁により隔てられて上下または左右に並列に配置されることを特徴とする請求項１記載の除塵装置。
【請求項３】
制御部は、収容部の一側内部空間及び他側内部空間の内部圧力と送水路の管内圧力の差圧を検知し、フィルタの濾過面の不純物の付着状態を判定することを特徴とする請求項１又は２記載の除塵装置。
【発明の詳細な説明】
【技術分野】
【０００１】
本発明は、河川や用水路、ため池等から汲み上げた自然水から枯葉やゴミ等を取り除く除塵装置に関するものである。
【背景技術】
【０００２】
除塵装置は、河川や溜池、用水などから汲み上げた自然水を生活水として利用するために、自然水から枯葉やゴミなどの不純物を除去して利用できる状態にするものである。
この種の装置としては、給水路と送水路を備えるタンクの内部に、フィルタを備えたものがある。そして、給水路で汲み取られた河川や溜池、用水等の自然水をタンク内に取り込み、タンク内のフィルタを通すことにより、自然水に含まれる不純物を濾しとる。ここで得られた水を送水路から送り込んで種々利用するものであった。
【先行技術文献】
【特許文献】
【０００３】
【特許文献１】特開昭６１−２７１００８号公報
【発明の概要】
【発明が解決しようとする課題】
【０００４】
上記のような除塵装置は、フィルタで一定量の不純物を濾しとった後は、除塵性能が格段に落ちることから、所定期間のうちにフィルタを交換する必要があった。このことから、防塵装置にフィルタの状態を検知する監視手段や、その監視手段で検知したときに担当者が現場に赴き、フィルタの交換やその他の点検を行う必要があり、こまめなメンテナンスが必須となることから、装置の大型化と保守コストが増大する問題点があった。
【０００５】
本発明は、上記課題を鑑みてなされたものであり、簡単な構造で確実な除塵効果を有するとともに、メンテナンスをほとんど要することのない除塵装置を提供することにある。
【課題を解決するための手段】
【０００６】
本発明のうち請求項１記載の発明は、自然水を取り込んでフィルタで濾過をして不純物を除去した濾過水を送り出す除塵装置であって、収容部と、給水路と、排水路と、フィルタと、送水路と、弁と、制御部とを備えており、収容部は、周壁で外周を囲むとともに、隔壁で内部を区画して一側内部空間と他側内部空間を有するものであり、給水路は、一側内部空間と他側内部空間のそれぞれに通じており、各給水路は、自然水を取り込む水源と一側内部空間または他側内部空間のそれぞれに通じており、排水路は、各給水路と対応して一側内部空間と他側内部空間のそれぞれに通じており、フィルタは、隔壁に設けてあり、一側内部空間と他側内部空間のそれぞれに隣接する位置に配してあり、送水路は、フィルタと通じる位置に設けてあり、フィルタを通った濾過水を収容部の外に送り出すものであり、弁は、給水路と排水路のそれぞれに設けてあり、制御部は、各弁の開閉を制御するものであり、一側内部空間に通じる給水路の弁を開放するとともに排水路の弁を閉塞し、他側内部空間に通じる給水路の弁を閉塞するとともに排水路の弁を開放する制御を行うことにより、フィルタの他側内部空間と面する濾過面に付着した不純物をフィルタの内周側から送り出した濾過水の水圧で押し出して洗浄し、他側内部空間に通じる給水路の弁を開放するとともに排水路の弁を閉塞し、一側内部空間に通じる給水路の弁を閉塞するとともに排水路の弁を開放する制御を行うことにより、フィルタの一側内部空間と面する濾過面に付着した不純物をフィルタの内周側から送り出した濾過水の水圧で押し出して洗浄することを特徴とする。
【０００７】
本発明のうち請求項２記載の発明は、収容部の一側内部空間と他側内部空間は、隔壁により隔てられて上下または左右に並列に配置されることを特徴とする。
【０００８】
本発明のうち請求項３記載の発明は、制御部は、収容部の一側内部空間及び他側内部空間の内部圧力と送水路の管内圧力の差圧を検知し、フィルタの濾過面の不純物の付着状態を判定することを特徴とする。
【発明の効果】
【０００９】
本発明の請求項１記載によれば、隔壁により収容部を縦割りで区画し、その隔壁の中間にフィルタを設けてあることにより、給水路から収容部に自然水を取り入れたときに、フィルタを通って送水路に流れ込む。このときに、フィルタには、枯葉やゴミが付着するが、隔壁で区画された各空間にそれぞれ通じる給水路と排水路の一方の弁を開き、他方の弁を閉じることにより、フィルタの内周部と自然水の流れ込まない外周部に付着する不純物が水圧で吹き飛ばされ、他方の空間の排水路から水圧で排出される。これにより、フィルタの半分が逆洗により洗浄される。そして、この段階ではまだフィルタの半分に不純物が付着しているが、上記で開いていた一方の給水路と排水路の弁を閉じ、他方の給水路と排水路の弁をそれぞれ開くことにより、フィルタの内周と外周部に付着した不純物が水圧で吹き飛ばされて排水路から排出される。このことから、給水路と排水路の弁の開閉の組み合わせのみで、フィルタの逆洗が行えることから、除塵効果の落ちたフィルタの交換が不要となる。したがって、担当者が防塵装置の設置現場に頻繁に赴いてフィルタ交換等のメンテナンスを行う必要がなく、保守コストが大幅に減ることになる。
【００１０】
本発明の請求項２記載の発明によれば、各弁の開閉制御による本願のフィルタの洗浄工程を具備したまま、除塵装置を設置する設置スペースや設置環境に応じて、隔壁で隔てられる一側内部空間と他側内部空間の配置関係を自在に変更できる。これにより、適用範囲の広い除塵装置を提供できる。
【００１１】
本発明の請求項３記載の発明によれば、収容部の内部圧力と送水路の管内圧力の差圧を測定することにより、フィルタの濾過面の不純物による詰まり具合が判定できる。具体的には、フィルタの濾過面が汚れると濾過水の通過量が減って収容部の内部圧力が高まり、フィルタの濾過性能が低下していると推測され、このときに、フィルタを洗浄する工程を開始することで、効率的な除塵装置の管理を行うことができる。
【図面の簡単な説明】
【００１２】
【図１】本実施による除塵装置の（ａ）は、（ｂ）中Ａ−Ａ線断面図であり、（ｂ）は、縦断面図である。
【図２】本実施による除塵装置の正面図と側面図である。
【図３】本実施による除塵装置の作動状態を示す簡略化した横断面図である。
【図４】本実施による除塵装置の制御部の構成を示す簡略化した側面図である。
【図５】本実施による除塵装置の作動状態（送水工程）を示すフローチャート図である。
【図６】本実施による除塵装置の作動状態（逆洗工程）を示すフローチャート図である。
【図７】本実施による除塵装置の作動状態（起動停止工程）を示すフローチャート図である。
【図８】本発明の他の実施形態を示す（ａ）は、縦断面図であり、（ｂ）は、横断面図である。
【図９】図８に示す除塵装置の作動状態を示す簡略化した縦断面図であり、（ａ）は、フィルタの下半分を洗浄するときの状態を示すものであり、（ｂ）は、フィルタの上半分を洗浄するときの状態を示すものである。
【発明を実施するための形態】
【００１３】
以下に、図面に基づいて本実施による除塵装置について説明する。
本実施による除塵装置は、図１（ａ）（ｂ）のように、収容部１と、給水路２ａ，２ｂと、送水路３と、排水路４ａ，４ｂと、弁６ａ，６ｂ，７ａ，７ｂと、フィルタ９と、制御部１０とからなっている。
収容部１は、縦に置かれた円形筒型の中空構造をなしており、収容部１の周壁の４箇所には、周方向に間隔をあけて一側給水路２ａと、他側給水路２ｂと、一側排水路４ａ，他側排水路４ｂが設けてある。さらに、収容部１の上壁１ｂには、送水路３が設けてある。さらに、収容部１の内部は、周壁内周部における対向位置からそれぞれ収容部１の中心に向けて突出する隔壁１１ａ，１１ａが配してある。また、２つの周壁１１ａ，１１ａ間には、フィルタ９が配置してあり、これにより、収容部１の内部を一側内部空間１２ａと他側内部空間１２ｂに区画している。また、隔壁１１ａ，１１ａは、周壁の２カ所の給水路２ａ，２ｂ間、および、同じく周壁の２カ所の排水路４ａ，４ｂ間に配してあり、さらに、フィルタ９の上側には送水路３が配置される。そして、弁は、給水路２ａ，２ｂ、排水路４ａ，４ｂに取り付けてある。さらに、各弁６ａ，６ｂ，７ａ，７ｂは、制御部１０で各々の開閉の切り替えを制御されることで、本実施による除塵装置を構成するものである。
【００１４】
フィルタ９は、本実施のものは上下に長い円形筒型形状をなしており、その筒の周部のほぼ全面に微細な濾過孔９ａが開いている。さらに、フィルタ９の外周部には、フレーム構造のケーシング１３で囲まれており、取り入れた自然水の通過を妨げずにフィルタ９の耐久性を確保する構造となっている。また、ケーシング１３の上部には収容部１上壁１ｂに取り付けるフランジが設けてある。このフランジにボルトナットで上壁１ｂに固定し、フィルタ９を収容部１の内部に位置決めするが、フィルタ９の交換のときには、ボルトナットを外してケーシング１３ごと取り外すことで行われる。また、収容部１の一側内部空間１２ａまたは他側内部空間１２ｂに送り込まれた自然水がフィルタ９を通り、そのフィルタ９を通過した濾過水が、送水路３から収容部１の外に送り出される。そして、このフィルタ９を通過した濾過水が種々の目的で使用されることになる。
【００１５】
本実施による除塵装置に使用する弁６ａ，６ｂ，７ａ，７ｂは、給水路２ａ，２ｂ、排水路４ａ，４ｂの流路の開放と閉塞を電気的に切り替えるものである。
また、上記の各弁６ａ，６ｂ，７ａ，７ｂは、一側給水路２ａに設けてある一側流入弁（弁）６ａと他側給水路２ｂに設けてある他側流入弁（弁）６ｂ、一側排水路４ａに設けてある一側排泥弁（弁）７ａと他側排水路４ｂに設けてある他側排泥弁（弁）７ｂとからなっている。
一側流入弁６ａと他側流入弁６ｂは、一側給水路２ａ及び他側給水路２ｂに流入する自然水を収容部１に取り入れる水量を調整するものである。
一側排泥弁７ａと他側排泥弁７ｂは、自然水とともにフィルタ９を通らなかった不純物を収容部１から排出するものであり、その排出と収容部１での貯留の切り替え、及び不純物の排出量をそれぞれ調整するものである。
また、本実施による除塵装置は、送水路３に空気弁８が設けてある。この空気弁８は、通常は閉塞しているが、送水路３にフィルタ９を通過した濾過水が流れることにより、送水路３の流路内の空気を逃がす目的で空気弁８を開放するものである。
【００１６】
制御部１０は、図３（ａ）〜（ｃ）と図４のように、上記の各弁６ａ，６ｂ，７ａ，７ｂの開放と閉塞の制御を行うものであるが、この開放と閉塞の制御により、収容部１に対する自然水の取り入れと収容部１の外への送水工程、及びフィルタ９の洗浄（逆洗）工程をそれぞれ行う。図３（ａ）と図５に示すフローチャートは、制御部１０における制御手順を示すものであり、通常の稼働となる濾過水の送水工程では、以下の手順を経ることになる。本実施による除塵装置を起動した後、一側給水路２ａと他側給水路２ｂに設けてある一側流入弁６ａと他側流入弁６ｂをそれぞれ開放する。このときに一側排泥弁７ａと他側排泥弁７ｂは閉塞した状態にしており、一側給水路２ａと他側給水路２ｂから取り入れた自然水は、フィルタ９の濾過孔９ａを通って送水路３から除塵装置の外に送り出される。
また、図４のように、本実施による除塵装置の制御部１０は、収容部１の内部圧力を検知する一次圧力センサ１５と、送水路に設置する二次圧力センサ１６とを有している。さらに、一次圧力センサ１５には、収容部１の内部圧力を測定する収容部内部圧力計１７が取り付けてあり、また、二次圧力センサ１６には、フィルタ差圧計１８が取り付けてあり、制御部１０では、収容部内部圧力計１７とフィルタ差圧計１８のそれぞれの計測値を比較して、一側流入弁６ａ、他側流入弁６ｂ、一側排泥弁７ａ、他側排泥弁７ｂのそれぞれの開放、閉塞を調整するものである。また、本実施による制御部１０は、一側流入弁６ａ、他側流入弁６ｂ、一側排泥弁７ａ，他側排泥弁７ｂを管理パネル１４にて個別に開閉、閉塞の切り替えが行えるように形成してある。これは、制御部１０の誤動作等が起こったときに、緊急的に各弁６ａ，６ｂ，７ａ，７ｂの開閉を行って除塵装置の圧力事故等を防止するためである。
【００１７】
そして、制御部１０において、図３（ａ）（ｂ）と図６に示すフローチャートは、フィルタ９の洗浄工程におけるフローを示すものであり、以下の手順を経ることになる。尚、収容部１の内部圧は、図４を参照すれば、一次圧力センサ１５で検知し、フィルタ９を隔てた収容部１内と送水路３内の差圧は、二次圧力センサ１６で検知する。ここで、制御部１０の洗浄工程を大きく分けると、フィルタ９の一側内部空間１２ａと面する濾過面を洗浄するモードと、フィルタ９の他側内部空間１２ｂと面する濾過面を洗浄するモードを有している。これにより、フィルタ９の濾過面を上記の１パターンにて半面ずつ洗浄し、２回のパターンでフィルタ９の濾過面全面を逆洗する。このように制御することにより、収容部１の内部圧力と送水路３の管内圧力の差圧を計測し、このデータに基づいて濾過水の供給工程からフィルタ９の洗浄工程に切り替えることで、除塵装置の稼働をメンテフリーで行えるようになる。
【００１８】
次に、本実施による除塵装置におけるフィルタ９の洗浄工程について、以下に説明する。
まず、フィルタ９の他側内部空間１２ｂと面する濾過面の洗浄工程を説明する。本工程の第一の手順として、本実施による除塵装置を起動した後、制御部１０では、一側流入弁６ａと他側排泥弁７ｂをそれぞれ開放する。さらに、他側流入弁６ｂと一側排泥弁７ａを閉じる。このときに、他側流入弁６ｂと一側排泥弁７ａが閉まらない場合には、制御部１０がこれを検知して制御部１０の管理パネル１４にて故障をアラームし、収容部１の一側内部空間１２ａと他側内部空間１２ｂが自然水で満水しないように、開放している一側流入弁６ａを閉塞して一側排水路４ａから排水する。そして、他側流入弁６ｂと一側排泥弁７ａを閉じることにより、一側流入弁６ａを開放して一側給水路２ａから取り入れた自然水が収容部１の一側内部空間１２ａを通過し、他側排泥弁７ｂの開放した他側排水路４ｂから流れて出していくことにより、いわゆる逆洗と呼ばれる自然水がフィルタ９の内周側から濾過面を通って他側内部空間１２ｂに流れていくことで、フィルタ９の他側内部空間１２ｂと面する濾過面に付着する不純物を押し出すかたちで洗浄、除去する。そして、フィルタ９から押し出された不純物は、開放した他側排泥弁７ｂの他側排水路４ｂから除塵装置の外に排出される。ここで、フィルタ９の濾過面のほぼ半分の洗浄工程が完了する。
【００１９】
上記のフィルタ９の他側内部空間１２ｂに面する濾過面の洗浄工程に続き、フィルタ９の他側内部空間に面する濾過面の洗浄工程を説明する。
制御部１０では、図７のように、一側流入弁６ａと他側排泥弁７ｂを閉塞し、他側流入弁６ｂと一側排泥弁７ａを開放する。これにより、他側給水路２ｂから自然水が収容部１の他側内部空間１２ｂに流れ込み、その自然水が他側内部空間１２ｂからフィルタ９に流れ込み、フィルタ９の一側内部空間１２ａと面する濾過面の内周部から押し出すことで、フィルタ９の濾過面に付着した不純物が一側内部空間１２ａを経て一側排水路４ａから本除塵装置の外に排出される。ここで、フィルタ９の濾過面のほぼ全面の逆洗工程が完了する。
【００２０】
上記のように形成した除塵装置は、以下に示す作用、効果を奏することになる。
収容部１内を隔壁１１ａ，１１ａで一側内部空間と他側内部空間に仕切り、さらに、隔壁１１ａ，１１ａの一部にフィルタ９を配置する構造とすることで、隔壁１１ａ，１１ａを隔てたフィルタ９の濾過面の半分ずつを順次逆洗することになる。
そして、制御部１０にて一側流入弁６ａ及び他側流入弁６ｂ、一側排泥弁７ａ及び他側排泥弁７ｂの切り替えを行うのみで、フィルタ９の濾過面の一側内部空間１２ａまたは他側内部空間１２ｂから自然水を送り込み、フィルタ９の内周部から他方の濾過面に押し出す。このことから、制御部１０による各弁６ａ，６ｂ，７ａ，７ｂの開放、閉塞の切り替え、収容部１に出入する水流の制御のみでフィルタ９の濾過面全面の逆洗ができることから、フィルタ９を洗浄する特別な手段を取り付けることなく、装置構成をシンプルにできる。
また、一側給水路２ａまたは他側給水路２ｂから取り入れた自然水は、フィルタ９を通った濾過水が送水路３から本除塵装置の外に排出されるが、送水路３には、空気弁８が設けてあることにより、送水路３の管圧が高まると上記の空気弁８から空気が抜け出すので、収容部１の内圧が一定し、送水路３における濾過水の流れを安定させる。
上記のように、本実施による除塵装置は、取り入れた自然水を濾過することによる多目的な濾過水の供給と、収容部１の内部に設置してあるフィルタ９の洗浄及びフィルタ９の濾過性能の回復を特別な手段を用いることなく、可動部の少ない簡単な構造で装置を稼働できる。
【００２１】
本発明の除塵装置の他の実施形態として、図８（ａ）（ｂ）のように、収容部１の内部を隔壁１１ａ，１１ａで上下に区画し、さらに、隔壁１１ａ，１１ａ間にフィルタ９を配置したものである。
本実施による除塵装置でも同様に、自然水から濾過水を利用する場合には、一側流入弁６ａ及び他側流入弁６ｂをそれぞれ開放して一側給水路２ａ及び他側給水路２ｂから収容部１の上下に配置してある一側内部空間１２ａと他側内部空間１２ｂに自然水を取り入れる。そして、図９（ａ）（ｂ）のように、一側給水路２ａから取り入れた自然水を収容部１の隔壁１１ａ，１１ａで隔てられた一側内部空間１２ａに送り込み、さらに、フィルタ９を通って送水路３から本除塵装置の外に濾過水が送り出される。また、フィルタ９の逆洗についても、本実施のものでは、自然水を取り込む側を一側給水路２ａにするか他側給水路２ｂのいずれかに選択するのかで、逆洗の対象となるフィルタ９の一側または他側のいずれの濾過面を切り替えるものであることから、今回は、フィルタ９の他側の濾過面の逆洗を説明する。一側給水路２ａから取り入れた自然水を収容部１の隔壁１１ａ，１１ａで隔てられた一側内部空間（図中では上側）１２ａに受け入れ、さらに、送水路３及び他側排水路４ｂの他側排泥弁７ｂを開放してフィルタ９の他側（図中では下側）の濾過面を逆洗することができる。また、前述のとおり、フィルタ９の一側（図中では上側）の濾過面を逆洗するときは、他側給水路２ｂから自然水を取り込み、一側排水路４ａの一側排泥弁７ａを開放することで、フィルタ９の一側の濾過面が逆洗される。このことから、収容部１の隔壁１１ａ，１１ａが内部を上下に隔てる構造、また、左右に隔てる構造のいずれであってもフィルタ９を逆洗できる。したがって、設置スペースが狭い現場や、水源の場所が特殊で収容部１に対する給水路２ａ，２ｂの取付箇所が制限される場合に、収容部１の一側内部空間１２ａと他側内部空間１２ｂの位置を変更して対応させることが可能となる。さらに、本実施形態のものでも、一側流入弁６ａと他側流入弁６ｂ及び一側排泥弁７ａと他側排泥弁７ｂの開放または閉塞の切り替えを制御部１０で制御することにより、フィルタ９に付着した不純物を取り除くための特別な洗浄手段を収容部１に設置する必要がなく、上記した隔壁１１ａ，１１ａの配置の異なる別実施形態のものと同様、除塵装置のコンパクト化や製造コストの抑制、さらには、本実施による除塵装置の各部のメンテナンスの容易性が確保できる。また、本実施による除塵装置は、上述した別実施形態の除塵装置と共通の部品を使用することができ、設置環境によって適宜選択することができる。
【００２２】
本発明の除塵装置は、収容部１の内部を隔壁１１ａ，１１ａで複数の空間に区切るととともに、その隔壁１１ａ，１１ａの間にフィルタ９を配置し、フィルタ９が区画した収容部１の内部の一側内部空間１２ａと他側内部空間１２ｂにフィルタ９の濾過面が面するようにしてあれば、隔壁１１ａ，１１ａは、前述した各実施形態のもののように、収容部１の内部を上下、左右、あるいは斜めに区画してもよい。さらに、上記のいずれの態様でも隔壁１１ａ，１１ａで隔てられた一側内部空間１２ａに通じる一側給水路２ａの一側流入弁６ａと他側給水路２ｂの他側流入弁６ｂ、一側排水路４ａの一側排泥弁７ａと他側排水路４ｂの他側排泥弁７ｂを交互に切り替えることにより、フィルタ９に付着した不純物を逆洗で洗浄することができる。また、フィルタ９の形状は、上記の各実施形態では円形筒状のものを示したが、その他として、矩形筒型状や円柱状など、隔壁１１ａ，１１ａの間に配置できて送水路３と通じる形状、構造であれば特に限定するものではない。さらに、制御部１０は、自然水の濾過工程と、フィルタ９の一側と他側の濾過面を洗浄する二つの逆洗工程を行えるものであればよい。
【符号の説明】
【００２３】
１  収容部
１ｂ  上壁
２ａ  一側給水路（給水路）
２ｂ  他側給水路（給水路）
３  送水路
４ａ  一側排水路（排水路）
４ｂ  他側排水路（排水路）
６ａ  一側流入弁（弁）
６ｂ  他側流入弁（弁）
７ａ  一側排泥弁（弁）
７ｂ  他側排泥弁（弁）
８  空気弁
９  フィルタ
９ａ  濾過孔
１０  制御部
１１ａ，１１ａ  隔壁
１２ａ  一側内部空間
１２ｂ  他側内部空間
１３  ケーシング
１４  管理パネル
１５  一次圧力センサ
１６  二次圧力センサ
１７  収容部内部圧力計
１８  フィルタ差圧計
【図１】
2016022429.tif 000003
【図２】
2016022429.tif 000004
【図３】
2016022429.tif 000005
【図４】
2016022429.tif 000006
【図５】
2016022429.tif 000007
【図６】
2016022429.tif 000008
【図７】
2016022429.tif 000009
【図８】
2016022429.tif 000010
【図９】
2016022429.tif 000011